(57)【要約】【課題】不適切な操作がされたとき、ユーザに注意を促すことにより、ユーザの所望する空調運転を迅速に行うようにする。【解決手段】  室内機１と通信可能なリモコン２などの操作機器は、室内機１から受け取った情報を報知する報知部を備え、室内機１の制御装置４は、現在の運転状況を監視し、操作機器からの操作信号に基づいてユーザの操作が現在の運転状況に対して不適切な操作であるかを判断して、不適切な操作である場合、操作機器に適切な操作を促すための注意情報を送信する。操作機器の報知部は、受け取った注意情報を報知する。操作機器の報知後、同じ操作がされたとき、制御装置４は、操作によって指示された空調運転を行う。操作機器の報知後、ユーザが異なる操作をしたとき、制御装置４は、異なる操作によって指示された空調運転を行う。【選択図】図１
2017075729.tif 000002
【特許請求の範囲】
【請求項１】
室内機と通信可能な操作機器を備え、操作機器は、ユーザの操作に応じて操作信号を室内機に送信し、室内機の制御装置が操作信号に応じて空調運転を行う空気調和機であって、操作機器は、室内機から受け取った情報を報知する報知部を備え、室内機の制御装置は、現在の運転状況を監視し、操作機器からの操作信号に基づいてユーザの操作が現在の運転状況に対して不適切な操作であるかを判断して、不適切な操作である場合、操作機器に適切な操作を促すための注意情報を送信し、操作機器の報知部は、受け取った注意情報を報知することを特徴とする空気調和機。
【請求項２】
操作機器の報知後、同じ操作がされたとき、この操作による操作信号を受け取った室内機の制御装置は、操作によって指示された空調運転を行うことを特徴とする請求項１記載の空気調和機。
【請求項３】
操作機器の報知後、ユーザが異なる操作をしたとき、この操作による操作信号を受け取った室内機の制御装置は、操作によって指示された空調運転を行うことを特徴とする請求項１または２記載の空気調和機。
【請求項４】
周囲の温度を検出する温度検出器が設けられ、制御装置は、検出された温度からユーザの操作が不適切か否かを判断することを特徴とする請求項１〜３のいずれかに記載の空気調和機。
【請求項５】
室内機と通信可能な操作機器を備え、操作機器は、ユーザの操作に応じて操作信号を室内機に送信し、室内機の制御装置が操作信号に応じて空調運転を行う空気調和機であって、ユーザが特定の操作をしたとき、この操作による操作信号を受け取った室内機の制御装置は、特定の操作が適切な操作か不適切な操作かを判断して、適切な操作であるとき、操作によって指示された空調運転を行い、不適切な操作であるとき、操作による指示をキャンセルすることを特徴とする空気調和機。
【発明の詳細な説明】
【技術分野】
【０００１】
本発明は、リモコンなどの操作機器の操作によって空調運転を行う空気調和機に関する。
【背景技術】
【０００２】
空気調和機は、室内機に対して通信可能なリモコンを備えている。ユーザがリモコンを操作すると、リモコンは、室内機に操作信号を送信し、室内機は、操作信号に応じて、指示された運転を行う。
【０００３】
リモコンと室内機との間では、双方向に通信することができる。そこで、特許文献１では、空気調和機の空調運転に応じて室内機で処理する情報がリモコンに送信され、リモコンの表示部に情報が表示される。
【先行技術文献】
【特許文献】
【０００４】
【特許文献１】特開２００７−３０３８２１号公報
【発明の概要】
【発明が解決しようとする課題】
【０００５】
ユーザが例えば暖房運転を行うつもりでリモコンの操作ボタンを操作したとき、押し間違えて、冷房運転を指示する操作をする。室内機では、リモコンの操作によって指示されたとおり、ユーザが所望する暖房運転とは異なる冷房運転が行われる。このように、暖房運転が適している状況において、冷房運転を指示するといった不適切な操作がされても、室内機からは、不適切な操作がされたことを示す情報が送信されず、ユーザは、不適切な操作をしたことに気付かない。そのため、ユーザの所望した空調運転が行われず、ユーザは、しばらくしてから空調運転が正しく行われていないことに気付き、リモコン２を操作し直すことになる。所望の空調運転の開始が遅れてしまい、ユーザに不快感を与える。
【０００６】
本発明は、不適切な操作がされたとき、ユーザに注意を促すことにより、ユーザの所望する空調運転を迅速に行える空気調和機の提供を目的とする。
【課題を解決するための手段】
【０００７】
本発明の空気調和機は、室内機と通信可能な操作機器を備え、操作機器は、ユーザの操作に応じて操作信号を室内機に送信し、室内機の制御装置が操作信号に応じて空調運転を行う。操作機器は、室内機から受け取った情報を報知する報知部を備え、室内機の制御装置は、現在の運転状況を監視し、操作機器からの操作信号に基づいてユーザの操作が現在の運転状況に対して不適切な操作であるかを判断して、不適切な操作である場合、操作機器に適切な操作を促すための注意情報を送信し、操作機器の報知部は、受け取った注意情報を報知する。
【０００８】
ユーザが操作機器を操作したとき、現在の運転状況に対して適切な操作か不適切な操作かが判断される。適切な操作のとき、この操作によって指示された空調運転が行われる。不適切な操作のとき、ユーザに注意が促される。操作間違いの場合、ユーザは操作をやり直すことができる。
【０００９】
操作機器の報知後、同じ操作がされたとき、この操作による操作信号を受け取った室内機の制御装置は、操作によって指示された空調運転を行うようにしてもよい。このような構成にすれば、不適切な操作と判断された場合でも、ユーザが再度同じ操作をしたとき、この操作は、ユーザが意図した操作である。このとき、ユーザの指示にされた空調運転が行われる。
【００１０】
操作機器の報知後、ユーザが異なる操作をしたとき、この操作による操作信号を受け取った室内機の制御装置は、操作によって指示された空調運転を行うようにしてもよい。このような構成にすれば、注意情報の報知により、ユーザは操作間違いに気付くので、ユーザの所望する空調運転を指示するために正しく操作することができる。
【００１１】
周囲の温度を検出する温度検出器が設けられ、制御装置は、検出された温度からユーザの操作が不適切か否かを判断するようにしてもよい。このような構成にすれば、室温や外気温が監視され、これらの周囲の温度に基づいて、操作によって指示された空調運転が適切であるか不適切であるかが判断される。
【００１２】
ユーザが特定の操作をしたとき、この操作による操作信号を受け取った室内機の制御装置は、特定の操作が適切な操作か不適切な操作かを判断して、適切な操作であるとき、操作によって指示された空調運転を行い、不適切な操作であるとき、操作による指示をキャンセルする。
【００１３】
特定の操作として、操作ボタンの長押しや連続押しなどがある。このような特定の操作が予め決められた手順どおりに行われたかによって、適切な操作か不適切な操作かが判断される。押し間違いなどによって生じた特定の操作は不適切な操作と判断されるので、この操作によって指示された空調運転は行われない。
【発明の効果】
【００１４】
本発明によると、操作機器が操作された際に、現在の運転状況に対して不適切な操作であるかが判断され、不適切な操作である場合、この操作によって指示された空調運転が行われず、ユーザに注意が促されるので、操作機器の操作を間違っていた場合に、予期せぬ空調運転が行われることを防ぐことができる。
また、本発明によると、ユーザが特定の操作をしたとき、特定の操作が適切な操作か不適切な操作かが判断され、不適切な操作であるとき、操作による指示がキャンセルされるので、予期せぬ空調運転が行われることを防ぐことができる。
【図面の簡単な説明】
【００１５】
【図１】本発明の空気調和機の室内機とリモコンを示す図
【図２】空気調和機の制御ブロック図
【図３】第１実施形態の暖房運転を行うときのフローチャート
【図４】第１実施形態の冷房運転を行うときのフローチャート
【図５】第２実施形態の２度押しされたときのフローチャート
【図６】他の形態のリモコンを示す図
【図７】第３実施形態の長押しされたときのフローチャート
【発明を実施するための形態】
【００１６】
（第１実施形態）
第１実施形態のヒートポンプ式の空気調和機は、室外機と室内機とから構成される。図１に示すように、空気調和機は、室内機１と双方向に通信可能な操作機器を有しており、操作機器としてリモコン２を備えている。空気調和機の室外機は、圧縮機、四方弁、室外熱交換器、膨張弁、室外ファンを備える。室内機１は、室内熱交換器、室内ファンを備える。
【００１７】
圧縮機、四方弁、室外熱交換器、膨張弁、室内熱交換器が配管により接続され、冷媒を循環させる冷凍サイクル部３が形成される。図２に示すように、空気調和機は、冷凍サイクル部３を制御して、冷房、暖房、除湿などの空調運転を行う制御装置４と、リモコン２と通信を行う通信部５とを備えている。室内機１は、室温検出器６、湿度検出器７および室内の人の有無を検出する人体検出器８を備え、室外機は、外気温検出器９を備えている。また、室内機１は、外部操作機器１０とネットワークを通じて通信を行うネットワーク通信部１１を備えている。
【００１８】
リモコン２は、室内機１と通信を行う通信部２０と、各種の情報や操作内容を入力する操作部２１と、運転状況などの情報を表示する表示部２２と、通信部２０および表示部２２を制御する制御部２３とを備えている。操作部２１は、運転や設定のための各種の操作ボタン２４を有する。表示部２２は、画像によって報知する液晶ディスプレイを用い、情報を報知する報知部とされる。表示部２２は制御部２３からの駆動信号により表示を行う。通信部２０は、赤外線通信により室内機１の通信部５と双方向の通信を行う。なお、リモコン２と室内機１との通信方式は、赤外線通信に限らず、ブルートゥース、無線ＬＡＮなどの無線通信方式であればよい。室内機１の制御装置４は、リモコン２と通信を行って、情報を設定したり、リモコン２からの操作信号に応じて指示された空調運転を行う。ネットワーク通信部１１は、ルータなどの通信機器を通じてネットワークに接続され、室内あるいは室外にあるスマートフォンなどの外部操作機器１０と双方向の通信を行う。
【００１９】
ユーザは、リモコン２、スマートフォンなどの操作機器を操作して、空気調和機に指示を行う。室内機１の制御装置４は、ＣＰＵ、ＲＯＭ、ＲＡＭ、不揮発性メモリを有し、操作機器の操作によって指示された空調運転を実行するように冷凍サイクル部３を制御する。例えば、ユーザは、リモコン２を操作して、設定温度および暖房運転、冷房運転、除湿運転、自動運転などのいずれかの運転モードを選択する。リモコン２の制御部２３は、ユーザの操作に基づく操作信号を通信部２０を通じて室内機１に送信する。室内機１の通信部５は、操作信号を受信する。制御装置４は、通信部５から操作信号を受け取ると、指示された空調運転における設定温度と検出された室温、外気温とに基づいて圧縮機、膨張弁、室内ファンおよび室外ファンを制御する。また、ユーザは、リモコン２を操作して、空調運転の停止を指示したり、タイマ予約を設定することもできる。
【００２０】
そして、制御装置４は、運転状況などの情報を操作機器に発信する。リモコン２が操作されて、操作信号が室内機１に送信される。室内機１がリモコン２からの操作信号を受け取ると、制御装置４は、操作に応じた情報を通信部５を通じてリモコン２に送信する。リモコン２が室内機１から情報を受け取ると、制御部２３は、情報を表示部２２に表示させる。
【００２１】
ところで、ユーザは、例えば冷房運転をするつもりで暖房運転の操作ボタン２４を押してしまうことがある。このとき、操作自体は正しいので、空気調和機はリモコン２からの操作信号にしたがって暖房運転を行う。しかし、冷房運転が適している暑いときに暖房運転を行うように、リモコン２を操作して指示することは適切ではない。このような不適切な操作は、操作自体は正しいが、周囲の状況から判断すると、操作によって指示される空調運転としては適切ではない。不適切な操作が行われると、ユーザの所望する空調運転が行われない。
【００２２】
そこで、不適切な操作がされたとき、室内機１は、ユーザに注意を促すことにより、ユーザの所望する空調運転を迅速に実行させるようにする。そのため、制御装置４は、現在の運転状況を監視し、操作機器からの操作信号に基づいてユーザの操作が現在の運転状況に対して不適切な操作であるかを判断する。不適切な操作である場合、制御装置４は、操作機器に適切な操作を促すための注意情報を送信する。操作機器の報知部は、受け取った注意情報を報知する。適切な操作である場合、制御装置４は、操作によって指示された空調運転を行う。なお、注意情報は、ユーザの操作に従った空調運転を実行してよいかを確認するための情報を含む。
【００２３】
運転状況は、運転停止、運転中の運転モードといった空気調和機の動作状況だけでなく、空調運転のために必要な室温、外気温、湿度、人の有無などの周囲の状況も含む。空調運転を制御する制御装置４は、現在の動作状況を認識している。また、制御装置４は、各種の検出器から情報を取得することにより周囲の状況を監視する。なお、周囲の状況の監視は、一定時間ごとに情報を取得して行われる、あるいは操作信号を受け取ったときに情報を取得して行ってもよい。
【００２４】
図３に示すように、ユーザがリモコン２の暖房運転の操作ボタン２４を押すと、リモコン２は、操作信号を室内機１に送信し、室内機１は、操作信号を受信する。制御装置４は、受け取った操作信号から暖房運転を指示されたことを認識する。制御装置４は、まず外気温が暖房運転を行うのに可能な温度かをチェックする。外気温が２８℃より低いとき、暖房運転は可能であるので、制御装置４は、適切な操作であると判断し、暖房運転を行う。
【００２５】
外気温が２８℃以上のとき、制御装置４は、室温をチェックする。室温が２８℃より低いとき、ユーザが暖房運転を望んでいると考えられるので、制御装置４は、適切な操作であると判断し、暖房運転を行う。
【００２６】
室温が２８℃以上かつ外気温が２８℃以上のとき、暖房運転は不適切であるので、制御装置４は、不適切な操作であると判断して、暖房運転を行わない。制御装置４は、ユーザに注意を促すために、リモコン２に通信部５を通じて注意情報を送信する。注意情報は、本当に暖房運転を行ってよいのかといった確認のための情報を含む。この注意情報は、リモコン２が操作された後、すぐに返信される。
【００２７】
リモコン２の制御部２３は、受け取った注意情報を表示部２２に表示させる。この情報を見たユーザは、リモコン２を再操作する。ユーザが暖房運転を所望しているとき、ユーザは再度暖房運転の操作ボタン２４を押す。リモコン２からの操作信号を受け取った制御装置４は、同じ操作により暖房運転が指示されたことを確認して、暖房運転を行う。
【００２８】
ユーザが操作ボタン２４を押し間違えていたとき、ユーザは所望する運転モードの操作ボタン２４、例えば冷房運転の操作ボタン２４を押す。リモコン２からの操作信号を受け取った制御装置４は、異なる操作により冷房運転が指示されたことを確認して、冷房運転を行う。
【００２９】
図４に示すように、ユーザがリモコン２の冷房運転の操作ボタン２４を押すと、リモコン２は、操作信号を室内機１に送信し、室内機１は、操作信号を受信する。制御装置４は、受け取った操作信号から冷房運転を指示されたことを認識する。制御装置４は、まず外気温が冷房運転を行うのに可能な温度かをチェックする。外気温が１８℃より高いとき、冷房運転は可能であるので、制御装置４は、適切な操作であると判断し、冷房運転を行う。
【００３０】
外気温が１８℃以下のとき、制御装置４は、室温をチェックする。室温が１８℃より高いとき、ユーザが冷房運転を望んでいると考えられるので、制御装置４は、適切な操作であると判断し、冷房運転を行う。
【００３１】
室温が１８℃以下かつ外気温が１８℃以下のとき、冷房運転は不適切であるので、制御装置４は、不適切な操作であると判断して、冷房運転を行わない。制御装置４は、ユーザに注意を促すために、リモコン２に通信部５を通じて注意情報を送信する。注意情報は、本当に冷房運転を行ってよいのかといった確認のための情報を含む。この注意情報は、リモコン２が操作された後、すぐに返信される。
【００３２】
リモコン２の制御部２３は、受け取った注意情報を表示部２２に表示させる。この情報を見たユーザは、リモコン２を再操作する。ユーザが冷房運転を所望しているとき、ユーザは再度冷房運転の操作ボタン２４を押す。リモコン２からの操作信号を受け取った制御装置４は、同じ操作により冷房運転が指示されたことを確認して、冷房運転を行う。
【００３３】
ユーザが操作ボタン２４を押し間違えていたとき、ユーザは所望する運転モードの操作ボタン２４、例えば暖房運転の操作ボタン２４を押す。リモコン２からの操作信号を受け取った制御装置４は、異なる操作により暖房運転が指示されたことを確認して、暖房運転を行う。
【００３４】
このように、ユーザが操作を間違えたとき、間違った指示にしたがって空調運転を行われない。ここで、空調運転が一旦開始されると、その後すぐに別の運転モードに変更しようと操作しても、冷凍サイクルの保護のために、圧縮機を再起動しない所定時間、例えば９０秒が設けられているため、所望の空調運転の開始が遅れてしまう。あるいは、空調運転が一旦開始されると、その後すぐに別の運転モードに変更しようと操作しても、所定期間その操作を無効にする機能を空気調和機が備えているとき、所望の空調運転の開始が遅れてしまう。しかし、空調運転を行わずにユーザに注意を促すことにより、ユーザは操作の間違いに気付き、すぐに所望する空調運転のための操作を行うことができる。したがって、所望の空調運転を迅速に行うことができる。
【００３５】
また、運転状況から判断して不適切な空調運転とされる場合であっても、ユーザが所望して再度同じ操作をしたときには、指示された空調運転が優先して行われる。したがって、ユーザの意思を反映させた空調運転を行うことができる。
【００３６】
（第２実施形態）
ユーザが操作ボタン２４を押した後、間違って操作ボタン２４を押してしまう場合がある。このように、２度押しのような特定の操作がされたとき、制御装置４は、特定の操作が不適切な操作か否かを判断して、不適切な操作であるとき、後の操作をキャンセルする。ここで、制御装置４は、特定の操作がされたとき、予め決められた手順に従って操作されたかをチェックして、特定の操作が適切な操作か不適切な操作かを判断する。なお、その他の構成は、第１実施形態と同じである。
【００３７】
ユーザがリモコン２の運転オンの操作ボタン２４を押す。例えば冷房ボタン、暖房ボタン、除湿ボタンのいずれかの操作ボタン２４を押すと、リモコン２は操作信号を室内機１に送信する。図５に示すように、室内機１が操作信号を受信すると、制御装置４は、この操作による指示に従って空調運転を開始する。この後、ユーザが別の操作ボタン２４を押してしまうことがある。例えば停止ボタンが押されると、リモコン２は操作信号を室内機１に送信する。操作信号を受け取った室内機１の制御装置４は、２度押しされた操作が適切な操作か否かを判断する。
【００３８】
すなわち、制御装置４は、運転オンの操作による操作信号を受信してから次の停止の操作による操作信号を受信するまでの時間間隔をチェックする。この時間間隔が所定時間、例えば０．５秒以下のとき、決められた手順に従った操作ではない。そのため、制御装置４は、ユーザが間違って操作したことによる不適切な操作であると判断する。そして、制御装置４は、後の操作による指示をキャンセルして、先の操作による指示を優先させ、空調運転を継続する。
【００３９】
また、制御装置４は、不適切な操作であると判断したとき、リモコン２に間違って操作したことを示す注意情報を送信する。リモコン２の制御部２３は、注意情報を表示部２２に表示させる。ユーザは、表示を見て、押し間違いに気付くと、所望の運転を実行させるために再度操作する。運転を停止させたい場合、停止ボタンが押される。リモコン２から操作信号を受け取った制御装置４は、指示に従って空調運転を停止する。
【００４０】
時間間隔が所定時間、例えば０．５秒より長いとき、決められた手順に従った操作である。制御装置４は、ユーザの意思によって操作されたことによる適切な操作であると判断する。そして、制御装置４は、後の操作による指示にしたがって、空調運転を停止する。このとき、制御装置４は、運転の停止を知らせる情報を出力する。すなわち、室内機１が表示、音声、ブザーなどによって停止を報知する、あるいはリモコン２が運転の停止を報知してもよい。
【００４１】
なお、ユーザが運転オンの操作ボタン２４が続けて押した場合、制御装置４は、受け取った２つの操作信号が同じであることを確認すると、後の操作信号による指示をキャンセルする。開始された空調運転は継続される。
【００４２】
このように、押し間違いなどによる不適切な操作がされたときに、不適切な操作であると見極めることにより、無用な運転の変更を防止することができる。特に、運転オンの各種操作ボタン２４と運転停止の操作ボタン２４との距離が近いと、誤って押してしまう可能性が高くなるので、本実施形態はより効果的である。
【００４３】
なお、図１に示すリモコン２は、運転モードごとの運転オンを行う各種操作ボタン２４および運転停止の操作ボタン２４を備えているが、図６に示すように、運転停止の操作ボタン２４の代わりに、運転オンオフの操作ボタン２４を備えたリモコン２であってもよい。このようなリモコン２の場合、運転オンオフの操作ボタン２４を押すと、空気調和機は室温や外気温などから現在の状況に応じた適切な運転を自動的に選択する自動運転モードを開始する。
【００４４】
（第３実施形態）
特定の操作として、操作ボタン２４の長押しがある。例えば、運転モードの操作ボタン２４の長押しは、運転モードを切り替えるときに行われる。操作ボタン２４が長押しされたとき、制御装置４は、この特定の操作が不適切な操作か否かを判断する。なお、その他の構成は、第１または第２実施形態と同じである。
【００４５】
図７に示すように、空調運転中、ユーザがリモコン２の操作ボタン２４を押すと、リモコン２は操作信号を室内機１に送信する。室内機１が操作信号を受信すると、制御装置４は、この操作が不適切な操作か否かを判断する。まず制御装置４は、受信した操作信号が運転モード切替の操作信号であるかチェックする。設定温度の変更、風量切替、風向き切替といった空調運転の設定変更のための操作がされたとき、受信した操作信号は運転モード切替の操作信号ではない。制御装置４は、操作によって指示された空調運転の設定変更を行う。
【００４６】
運転モードの操作ボタン２４が押されたとき、受信した操作信号は運転モード切替の操作信号である。制御装置４は、運転モード切替の操作信号であることを確認すると、特定の操作、すなわち長押しされているかをチェックする。操作信号の受信時間が計測される。操作信号が２秒以上継続して受信されているとき、制御装置４は、特定の操作による適切な操作であると判断して、操作によって指示された運転モードに切り替える。このとき、制御装置４は、運転モードの変更を知らせる情報を出力する。すなわち、室内機１が表示、音声、ブザーなどによって変更を報知する、あるいはリモコン２が変更を報知してもよい。
【００４７】
操作信号の受信時間が２秒より短いとき、制御装置４は、特定の操作が不適切な操作であると判断して、この操作による指示をキャンセルする。現在の運転モードによる空調運転が継続される。そして、制御装置４は、不適切な操作であると判断したとき、リモコン２に間違って操作したことを示す注意情報を送信する。リモコン２の制御部２３は、注意情報を表示部２２に表示させる。表示を見たユーザが運転モードを切り替えたい場合、ユーザは、所望の運転を実行させるために再度操作する。運転モードの操作ボタン２４が長押しされると、リモコン２から操作信号を受け取った制御装置４は、指示に従って運転モードを切り替える。
【００４８】
このように、ユーザが特定の操作をしたつもりでも、特定の操作の手順を満たしていない場合、指示した空調運転が行われず、注意が促される。ユーザが正しく特定の操作を行うことにより、所望の空調運転を確実に行うことができる。
【００４９】
以上の通り、本発明の空気調和機は、室内機１と通信可能な操作機器を備え、操作機器は、ユーザの操作に応じて操作信号を室内機１に送信し、室内機１の制御装置４が操作信号に応じて空調運転を行うものであって、操作機器は、室内機から受け取った情報を報知する報知部を備え、室内機１の制御装置４は、現在の運転状況を監視し、操作機器からの操作信号に基づいてユーザの操作が現在の運転状況に対して不適切な操作であるかを判断して、不適切な操作である場合、操作機器に適切な操作を促すための注意情報を送信し、操作機器の報知部は、受け取った注意情報を報知する。制御装置４は、適切な操作であると判断したとき、指示された空調運転を行う。
【００５０】
これにより、ユーザが押し間違いなどの不適切な操作を行ったとき、すぐに正しい操作を行うことができるので、ユーザの所望する空調運転を迅速に行うことができる。
【００５１】
操作機器の報知後、同じ操作がされたとき、この操作による操作信号を受け取った室内機１の制御装置４は、操作によって指示された空調運転を行うようにしてもよい。これにより、ユーザの意思を再確認でき、所望の空調運転が確実に行われる。
【００５２】
操作機器の報知後、ユーザが異なる操作をしたとき、この操作による操作信号を受け取った室内機１の制御装置４は、操作によって指示された空調運転を行うようにしてもよい。これにより、ユーザはすぐに再操作することができ、所望の空調運転が迅速に行われる。
【００５３】
周囲の温度を検出する温度検出器が設けられ、制御装置４は、検出された温度からユーザの操作が不適切か否かを判断するようにしてもよい。これにより、周囲の状況から見て不適切な空調運転が行われることを防げる。
【００５４】
制御装置４は、外気温に基づいて操作によって指示された空調運転の実行が可能かを確認し、実行不可能であるとき、不適切な操作であると判断する。また、制御装置４は、室温に基づいて操作によって指示された空調運転の実行が可能かを確認し、実行不可能であるとき、不適切な操作であると判断する。
【００５５】
また、ユーザが特定の操作をしたとき、この操作による操作信号を受け取った室内機１の制御装置４は、特定の操作が適切な操作か不適切な操作かを判断して、適切な操作であるとき、操作によって指示された空調運転を行い、不適切な操作であるとき、操作による指示をキャンセルする。制御装置４は、特定の操作がされたとき、予め決められた手順に従って操作されたかをチェックして、特定の操作が適切な操作か不適切な操作かを判断する。これにより、ユーザが誤って特定の操作をしてしまっても、無用な空調運転が行われることを防げる。
【００５６】
なお、本発明は、上記実施形態に限定されるものではなく、本発明の範囲内で上記実施形態に多くの修正および変更を加え得ることは勿論である。空気調和機は室内機１だけの一体型であってもよい。注意情報の報知方法として、表示だけでなく、音声、ブザーなどの音、バイブレーションなどにより報知してもよい。また、外部操作機器の操作によっても、空調運転を指示することができる。そのため、外部操作機器において不適切な操作が行われた場合、外部操作機器が注意情報を報知してもよい。
【００５７】
現在の運転状況に対する不適切な操作として、例えばタイマ予約の重複予約がある。既にタイマ予約が設定されているにもかかわらず、予約時間が重なるように予約操作が行われたとき、制御装置４は、後の予約操作が不適切な操作であると判断して、重複してタイマ予約がされていることを示す注意情報を送信する。
【００５８】
ユーザが同じ予約操作を行うと、この操作信号を受け取った制御装置４は、後のタイマ予約を優先して設定する。ユーザがタイマ予約を変更したいとき、タイマ予約の設定変更の操作を行うことなく、通常のタイマ予約を設定する操作を行うことにより、簡単にタイマ予約の設定変更を行うことができる。
【００５９】
また、ユーザが室外において外部操作機器１０を操作して、空調運転を開始させたり、空調運転を停止させることがある。しかし、室内に人がいるときに、このような操作がされると、知らないうちに空調運転が制御され、室内にいる人は戸惑ってしまう。そこで、外部操作機器１０において操作が行われると、外部操作機器１０から操作信号を受け取った室内機１の制御装置４は、ＩＤ情報により送信元の操作機器を特定する。そして、制御装置４は、外部操作機器１０からの操作信号であることを確認すると、室内の人の有無をチェックする。
【００６０】
室内に人がいるとき、制御装置４は、室外からの操作を不適切な操作であると判断して、室内に人がいることを示す注意情報をネットワーク通信部１１を通じて外部操作機器１０に送信する。外部操作機器１０は、注意情報を表示などによって報知する。ユーザは、室内に人がいることを知り、外部操作機器１０の操作をやめる。これにより、室内に人がいるときに空調運転を停止させてしまうことを防止でき、室内の人を不快にすることがなくなる。ただし、空調運転が必要な場合、ユーザは空調運転を遠隔操作する。
【符号の説明】
【００６１】
１    室内機
２    リモコン
３    冷凍サイクル部
４    制御装置
５    通信部
６    室温検出器
７    湿度検出器
８    人体検出器
９    外気温検出器
１０    外部操作機器
２０    通信部
２１    操作部
２２    表示部
２３    制御部
２４    操作ボタン
【図１】
2017075729.tif 000003
【図２】
2017075729.tif 000004
【図３】
2017075729.tif 000005
【図４】
2017075729.tif 000006
【図５】
2017075729.tif 000007
【図６】
2017075729.tif 000008
【図７】
2017075729.tif 000009